(57)【要約】【課題】画像読取時に保持部材を確実に所望の姿勢にすることができる画像読取装置を提供する。【解決手段】調整部３８を交差方向Ａに沿ってスライドさせることにより、複数の挿通部３７１，３８１の主走査方向における相対位置を調整する。これにより、複数の挿通部３７１，３８１に挿通された支持軸３２に対する保持部材３１の角度を任意に設定することができる。したがって、支持軸３２と挿通部３７１，３８１との間のクリアランスによって画像読取時に生じる保持部材３１の傾斜を考慮して、当該支持軸３２に対して保持部材３１が予め傾斜する角度を精度よく調整することができるので、画像読取時に保持部材３１を確実に所望の姿勢にすることができる。【選択図】  図４
2010183516.tif 000002
【特許請求の範囲】
【請求項１】
光学部品を所定の走査方向に沿って移動させることにより画像を読み取る画像読取装置であって、
上記光学部品を保持する保持部材と、
上記走査方向に沿って延び、上記保持部材を上記走査方向に沿ってスライド可能に支持する支持軸とを備え、
上記保持部材が、上記支持軸を上記走査方向に沿ってスライド可能に挿通するための複数の挿通部と、上記複数の挿通部間の上記走査方向に直交する方向における相対位置を調整するための調整部とを有することを特徴とする画像読取装置。
【請求項２】
上記複数の挿通部のうち少なくとも１つの挿通部が上記調整部に連結されており、
上記調整部が、上記走査方向に対して交差する方向に沿って変位可能であることを特徴とする請求項１に記載の画像読取装置。
【請求項３】
上記調整部が、固定具により固定可能であることを特徴とする請求項２に記載の画像読取装置。
【請求項４】
上記調整部には、当該調整部の変位方向に所定の間隔で目盛りが形成されていることを特徴とする請求項２又は３に記載の画像読取装置。
【発明の詳細な説明】
【技術分野】
【０００１】
本発明は、光学部品を所定の走査方向に沿って移動させることにより画像を読み取る画像読取装置に関するものである。
【背景技術】
【０００２】
画像読取装置の一例として、光学部品を保持する保持部材を支持軸によりスライド可能に支持し、当該支持軸に沿って保持部材をスライドさせることにより、光学部品を走査させて画像を読み取るような構成を有するものがある（例えば、下記特許文献１）。
【０００３】
当該特許文献１の例では、保持部材が支持軸に対して直交方向に延びており、上記直交方向の一端部に形成された挿通部に支持軸がスライド可能に挿通されるとともに、上記直交方向の他端部がガイドレール上に支持されている。また、保持部材の上記一端部には駆動ベルトが取り付けられており、当該駆動ベルトを駆動させることにより、保持部材を支持軸に沿ってスライドさせることができるようになっている。
【先行技術文献】
【特許文献】
【０００４】
【特許文献１】特開２００８−３２９４２号公報
【発明の概要】
【発明が解決しようとする課題】
【０００５】
上記のような構成を有する画像読取装置では、支持軸に対して保持部材を良好にスライドさせるために、支持軸と挿通部との間に所定のクリアランスが形成されている。そのため、画像読取時には、駆動ベルトの駆動力が保持部材の上記一端部に作用し、保持部材の上記他端部には慣性力が作用することによって、保持部材が上記直交方向に対して傾斜した状態となってしまう。そこで、特許文献１に開示された技術では、挿通部と支持軸との間に保持部材の傾斜を補正するための隙間が設けられ、保持部材の傾斜が補正されたときに当該保持部材が上記直交方向と平行になるような構成となっている。
【０００６】
しかしながら、上記特許文献１のような構成では、保持部材の傾斜を補正するための隙間を精度よく形成しなければ、画像読取時に、やはり保持部材が上記直交方向に対して傾斜した状態となってしまうという問題がある。また、保持部材が移動開始時に大きく揺動するため、画像の読み取りを繰り返し行うことにより、保持部材、特に挿通部が破損するおそれがある。
【０００７】
本発明は、上記実情に鑑みてなされたものであり、画像読取時に保持部材を確実に所望の姿勢にすることができる画像読取装置を提供することを目的とする。また、本発明は、保持部材が破損するのを防止することができる画像読取装置を提供することを目的とする。
【課題を解決するための手段】
【０００８】
第１の本発明に係る画像読取装置は、光学部品を所定の走査方向に沿って移動させることにより画像を読み取る画像読取装置であって、上記光学部品を保持する保持部材と、上記走査方向に沿って延び、上記保持部材を上記走査方向に沿ってスライド可能に支持する支持軸とを備え、上記保持部材が、上記支持軸を上記走査方向に沿ってスライド可能に挿通するための複数の挿通部と、上記複数の挿通部間の上記走査方向に直交する方向における相対位置を調整するための調整部とを有することを特徴とする。
【０００９】
このような構成によれば、複数の挿通部間の走査方向に直交する方向における相対位置を調整することにより、これらの複数の挿通部に挿通された支持軸に対する保持部材の角度を任意に設定することができる。したがって、支持軸と挿通部との間のクリアランスによって画像読取時に生じる保持部材の傾斜を考慮して、当該支持軸に対して保持部材が予め傾斜する角度を精度よく調整することができるので、画像読取時に保持部材を確実に所望の姿勢にすることができる。
【００１０】
また、複数の挿通部間の走査方向に直交する方向における相対位置を調整することにより、各挿通部に形成されている支持軸を挿通するための貫通孔の各軸線をずらして、支持軸と挿通部との間のクリアランスを小さくし、クリアランスに基づくがたつきを抑制することができる。したがって、画像読取時に保持部材をより確実に所望の姿勢にすることができる。
【００１１】
第２の本発明に係る画像読取装置は、上記複数の挿通部のうち少なくとも１つの挿通部が上記調整部に連結されており、上記調整部が、上記走査方向に対して交差する方向に沿って変位可能であることを特徴とする。
【００１２】
このような構成によれば、走査方向に対して交差する方向に沿って調整部を変位させることにより、当該調整部に連結されている挿通部と他の挿通部との間の走査方向に直交する方向における相対位置を容易に調整することができる。
【００１３】
第３の本発明に係る画像読取装置は、上記調整部が、固定具により固定可能であることを特徴とする。
【００１４】
このような構成によれば、複数の挿通部間の走査方向に直交する方向における相対位置を調整部で調整した後、当該調整部を固定具で固定することにより、保持部材のがたつきを抑制することができる。したがって、保持部材が移動開始時に大きく揺動するなどして破損するのを防止することができる。
【００１５】
第４の本発明に係る画像読取装置は、上記調整部には、当該調整部の変位方向に所定の間隔で目盛りが形成されていることを特徴とする。
【００１６】
このような構成によれば、調整部の変位方向に所定の間隔で形成されている目盛りを基準にして当該調整部の位置を調整することにより、複数の挿通部間の走査方向に直交する方向における相対位置を容易に調整することができる。
【発明の効果】
【００１７】
本発明によれば、支持軸と挿通部との間のクリアランスによって画像読取時に生じる保持部材の傾斜を考慮して、当該支持軸に対して保持部材が予め傾斜する角度を精度よく調整することができるので、画像読取時に保持部材を確実に所望の姿勢にすることができる。
【図面の簡単な説明】
【００１８】
【図１】本発明の一実施形態に係る画像読取装置を備えた画像形成装置の内部構成を示した概略断面図である。
【図２】画像読取装置の構成を示した概略平面図である。
【図３】保持部材の一端部を斜め上方から見た斜視図である。
【図４】保持部材の一端部の構成を示した平面図である。
【図５】調整部を斜め上方から見た斜視図である。
【図６】調整部の構成を示した底面図である。
【図７】保持部材の一端部の構成を示した平面図である。
【図８】保持部材の一端部の構成を示した平面図である。
【発明を実施するための形態】
【００１９】
図１は、本発明の一実施形態に係る画像読取装置３を備えた画像形成装置１の内部構成を示した概略断面図である。
【００２０】
この画像形成装置１は、例えば、原稿搬送装置２により自動的に供給される原稿の画像を画像読取装置３で１枚ずつ読み取り、その原稿の画像データに基づいて記録紙Ｐに画像を形成する複写機である。当該画像形成装置１には、筺体１ａ内に、上記画像読取装置３の他、画像形成部４及び給紙部５などが備えられており、当該筺体１ａの上面に原稿搬送装置２が設けられている。ただし、本発明に係る画像読取装置３は、複写機に限らず、ファクシミリ装置などの他の画像形成装置、又は、画像形成部を備えていないスキャナ装置などの各種装置に適用可能である。
【００２１】
原稿搬送装置２は、原稿トレイ２ａを備えており、当該原稿トレイ２ａ上に原稿をセットすることができるようになっている。原稿搬送装置２は、ピックアップローラ２ｂ及び分離手段（分離ローラとリタードローラの対）２ｃにより、原稿トレイ２ａ上にセットされた原稿を１枚ずつ送り出す。送り出された原稿は、複数の搬送ローラ２ｄ、２ｅ、２ｆにより原稿搬送路２ｇを搬送され、当該原稿搬送路２ｇの途中に位置する読取位置２ｋにおいて、画像読取装置３により画像が読み取られる。画像が読み取られた後の原稿は、排出ローラ２ｈにより原稿排出トレイ２ｉ上に順次排出される。
【００２２】
画像読取装置３には、複数のＣＣＤ(Charge Coupled Devices)が、原稿の搬送方向に対して直交する水平方向（主走査方向）に並べて配置されている。画像読取装置３は、静止した状態で読取位置２ｋに光を照射し、原稿からの反射光をＣＣＤで受光することによって、原稿搬送装置２により搬送される原稿を読み取ることができる。また、画像読取装置３は、主走査方向に直交する水平方向（副走査方向）に光源を移動させながらガラス板３ｄ上に置かれた原稿に光を照射し、原稿からの反射光をＣＣＤで受光することによって、原稿を読み取ることもできる。
【００２３】
原稿搬送装置２により１枚ずつ搬送される原稿を読取位置２ｋで読み取る場合には、各ＣＣＤで原稿からの反射光を受光することにより主走査が行われるとともに、読取位置２ｋを原稿が搬送されることにより副走査が行われる。一方、ガラス板３ｄに置かれた原稿を読み取る場合には、各ＣＣＤで原稿からの反射光を受光することにより主走査が行われるとともに、光源が副走査方向に移動することにより副走査が行われる。
【００２４】
上記ガラス板３ｄは、筺体１ａの上面に形成されており、原稿搬送装置２は、筺体１ａの上面に対して上下に開閉可能に取り付けられている。したがって、ガラス板３ｄ上に置かれた原稿を画像読取装置３で読み取る場合には、原稿搬送装置２を閉じることにより、当該原稿搬送装置２とガラス板３ｄとの間に原稿を挟むことができるようになっている。
【００２５】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、画像読取装置３で読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００２６】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００２７】
給紙部５は、記録紙Ｐを収容するための記録紙カセット６を備えており、この記録紙カセット６内に設けられた支持板９上に、記録紙Ｐを積層した状態で収容することができるようになっている。支持板９は、その一端部に設けられた支軸９ａを中心に回転可能となっており、支軸９ａ側とは反対側の端部が圧縮ばね９ｂによって上方へ付勢されることにより、最上部の記録紙Ｐが給紙ローラ２１に対して押圧される。給紙ローラ２１に対向する位置には、例えば摩擦部材としての分離パッド（図示せず）が配置されており、給紙ローラ２１が回転駆動されることにより記録紙カセット６内から送り出される記録紙Ｐは、上記分離パッドの作用により、記録紙搬送路１２に１枚ずつ送り出される。
【００２８】
記録紙搬送路１２には、１つ又は複数の搬送ローラ１３が設けられている。記録紙カセット６から１枚ずつ送り出される記録紙Ｐは、搬送ローラ１３により記録紙搬送路１２内を搬送され、画像形成部４へと送られる。そしてレジストローラ１４により、記録紙Ｐは感光体ドラム４ａの直前で一旦停止され、感光体ドラム４ａに形成されるトナー像を転写させるタイミングに合わせて送り出される。
【００２９】
図２は、画像読取装置３の構成を示した概略平面図である。画像読取装置３は、光学部品を保持する保持部材３１を備えており、当該保持部材３１を副走査方向に沿って移動させることにより、ガラス板３ｄ上に置かれた原稿の画像を読み取ることができるようになっている。保持部材３１は、例えば樹脂により形成されている。
【００３０】
図示しないが、上記光学部品には、例えば原稿に向けて光を照射する光源、原稿からの反射光を受光する受光部としてのＣＣＤイメージセンサ、原稿からの反射光を反射させてＣＣＤイメージセンサへと導く反射ミラーなどが含まれる。これらの光学部品は、主走査方向に延びるように保持部材３１により保持されており、保持部材３１も主走査方向に長尺形状を有している。ただし、１つの保持部材３１に、光源、ＣＣＤイメージセンサ及び反射ミラーなどの光学部品が全て保持された構成に限らず、これらの光学部品が、副走査方向に沿って移動可能な複数（例えば、２つ）の保持部材に分けて保持された構成であってもよい。
【００３１】
保持部材３１は、その主走査方向の一端部が、筺体１ａ内に副走査方向に沿って延びるように設けられた支持軸３２により支持されており、当該支持軸３２に沿って副走査方向にスライド可能となっている。また、筺体１ａ内には、保持部材３１の主走査方向の他端部に対向する位置に、副走査方向に沿って延びるガイドレール３３が設けられている。保持部材３１は、その主走査方向の他端部がガイドレール３３上に支持され、副走査方向に安定してスライドするようにガイドされる。
【００３２】
保持部材３１の上記一端部、すなわち支持軸３２により支持されている側の端部には、駆動ベルト３４が取り付けられている。当該駆動ベルト３４は、２つのプーリ３５に掛け回された環状のベルトであり、支持軸３２の下方において副走査方向に延びるように設けられている。上記２つのプーリ３５の一方には、モータ３６の駆動軸が連結されており、当該モータ３６の駆動に基づいて上記一方のプーリ３５が回転し、それに伴い駆動ベルト３４が回転することによって、保持部材３１が副走査方向に沿って移動するようになっている。
【００３３】
図３は、保持部材３１の一端部を斜め上方から見た斜視図である。図４は、保持部材３１の一端部の構成を示した平面図である。保持部材３１は、上述のような光学部品を保持する本体３７と、当該本体３７に取り付けられた調整部３８とを備えている。なお、図３では、調整部３８を省略して示している。
【００３４】
本体３７には、支持軸３２を挿通するための挿通部３７１が設けられている。当該挿通部３７１には、その軸線が副走査方向に延びる貫通孔３７２が形成されており、当該貫通孔３７２内に支持軸３２が挿通される。当該貫通孔３７２は、支持軸３２の外径よりも若干大きい内径を有しており、これにより、挿通部３７１と、当該挿通部３７１に挿通される支持軸３２との間に、所定のクリアランスが形成されている。
【００３５】
また、本体３７には、調整部３８を取り付けるための調整部取付部３７３が設けられている。当該調整部取付部３７３には、調整部３８を支持する支持板３７４と、当該支持板３７４から上方に向かって突出し、調整部３８に対してスライド可能に嵌め込まれる突出部３７５とが一体的に形成されている。
【００３６】
突出部３７５は、平面視で、その長辺が副走査方向に対して交差方向Ａに延びる矩形状に形成されており、この例では平行四辺形状に形成されている。調整部３８は、その一部に調整部取付部３７３の突出部３７５が嵌め込まれた状態で支持板３７４上に支持され、突出部３７５の長手方向、すなわち上記交差方向Ａに沿ってスライド可能な状態で取り付けられる。副走査方向に対する上記交差方向Ａの傾斜角は、９０°未満に設定されており、４５°未満に設定されていることがより好ましい。
【００３７】
突出部３７５には、固定具としてのねじ３９を取り付けるためのねじ孔３７６が形成されている。また、本体３７における調整部取付部３７３以外の部分にも、上記固定具としてのねじ４０を取り付けるためのねじ孔３７７が形成されている。これらのねじ孔３７６，３７７にねじ３９，４０を締め付けることにより、本体３７に対して調整部３８を任意のスライド位置で固定することができる。
【００３８】
ただし、ねじ３９，４０を取り付けるためのねじ孔３７６，３７７は、２つ設けられた構成に限らず、例えば上記ねじ孔３７６，３７７のいずれか一方のみが設けられた構成であってもよいし、他のねじ孔も含めて３つ以上設けられた構成であってもよい。また、調整部３８を本体３７に固定するための固定具としては、ねじ３９，４０に限らず、他の各種固定具を採用することができる。
【００３９】
本体３７には、調整部取付部３７３の下方に、駆動ベルト３４を取り付けるための駆動ベルト取付部３７８が設けられている。当該駆動ベルト取付部３７８は、駆動ベルト３４を上下方向に挟み込んで固定する構成を有している。
【００４０】
図５は、調整部３８を斜め上方から見た斜視図である。図６は、調整部３８の構成を示した底面図である。
【００４１】
調整部３８には、支持軸３２を挿通するための挿通部３８１が設けられている。当該挿通部３８１には、その軸線が副走査方向に延びる貫通孔３８２が形成されており、当該貫通孔３８２内に支持軸３２が挿通される。当該貫通孔３８２は、支持軸３２の外径よりも若干大きい内径を有しており、これにより、挿通部３８１と、当該挿通部３８１に挿通される支持軸３２との間に、所定のクリアランスが形成されている。本実施形態では、本体３７に設けられた挿通部３７１の貫通孔３７２と、調整部３８に設けられた挿通部３８１の貫通孔３８２とに、支持軸３２が挿通されることにより、保持部材３１が支持軸３２に沿って副走査方向にスライド可能に支持される。
【００４２】
このように、保持部材３１には、支持軸３２を副走査方向に沿ってスライド可能に挿通するための２つの挿通部３７１，３８１が備えられており、そのうちの１つの挿通部３８１が調整部３８に連結されている。ただし、挿通部３７１，３８１は、２つに限らず、３つ以上設けられていてもよい。この場合、それらの複数の挿通部のうち少なくとも１つの挿通部が調整部３８に連結されたような構成であってもよい。
【００４３】
調整部３８には、その下面から上方に向かって窪んだ凹部３８３が形成されており、当該凹部３８３内に調整部取付部３７３の突出部３７５が嵌め込まれる。当該凹部３８３は、その短辺が調整部取付部３７３の突出部３７５の短辺とほぼ一致し、長辺が上記交差方向Ａに沿って延びる矩形状であって、この例では平行四辺形状に形成されている。凹部３８３の長辺は、調整部取付部３７３の突出部３７５の長辺よりも長く設定されている。これにより、調整部３８は、その凹部３８３に嵌め込まれた突出部３７５に対して、上記交差方向Ａに沿って変位可能となっている。
【００４４】
凹部３８３の上端面には上記交差方向Ａに沿って延びる長孔３８４が形成されており、凹部３８３内に嵌め込まれた突出部３７５の上面が当該長孔３８４の周縁部に当接するようになっている。図４に示すように、上記長孔３８４には上方からねじ３９が挿通され、当該ねじ３９が調整部取付部３７３の突出部３７５に形成されているねじ孔３７６に締め付けられる。
【００４５】
調整部３８には、本体３７のねじ孔３７７に対向する位置にも、副走査方向に延びる長孔３８５が形成されている。図４に示すように、上記長孔３８５には上方からねじ４０が挿通され、当該ねじ４０が本体３７のねじ孔３７７に締め付けられる。
【００４６】
調整部３８の上面には、本体３７に対する調整部３８のスライド位置を調整する際に視認するための目盛り３８６が形成されている。この目盛り３８６は、調整部３８の変位方向、すなわち上記交差方向Ａに所定の間隔で形成されている。この例では、上記目盛り３８６は、調整部３８の上面における長孔３８４の周縁部に、上記交差方向Ａに一定間隔で形成されている。
【００４７】
図７及び図８は、保持部材３１の一端部の構成を示した平面図である。図７と図８とでは、本体３７に対する調整部３８のスライド位置が異なっている。なお、図７及び図８では、ねじ３９，４０を省略して示している。
【００４８】
図７の状態では、調整部３８の凹部３８３内に嵌め込まれている調整部取付部３７３の突出部３７５が、凹部３８３の上記交差方向Ａにおける一端面に当接している。この状態では、調整部取付部３７３に形成されている各ねじ孔３７６，３７７が、調整部３８の対応する長孔３８４，３８５に対向しており、ねじ孔３７７は長孔３８５の一端部に対向している。
【００４９】
図８の状態では、調整部３８の凹部３８３内に嵌め込まれている調整部取付部３７３の突出部３７５が、凹部３８３の上記交差方向Ａにおける他端面に当接している。この状態では、調整部取付部３７３に形成されている各ねじ孔３７６，３７７が、調整部３８の対応する長孔３８４，３８５に対向しており、ねじ孔３７７は長孔３８５の他端部に対向している。
【００５０】
このように、本実施形態では、各ねじ孔３７６，３７７が対応する長孔３８４，３８５に対向する範囲内で、本体３７に対して調整部３８を上記交差方向Ａに沿ってスライドさせることができる。調整部３８が上記交差方向Ａに沿ってスライドした場合には、当該調整部３８に連結されている挿通部３８１の主走査方向及び副走査方向の位置が変化する。したがって、調整部３８を上記交差方向Ａに沿ってスライドさせることにより、各挿通部３７１，３８１間の主走査方向及び副走査方向における相対位置を調整することができる。
【００５１】
本実施形態では、複数の挿通部３７１，３８１間の主走査方向における相対位置を調整することにより、これらの複数の挿通部３７１，３８１に挿通された支持軸３２に対する保持部材３１の角度を任意に設定することができる。したがって、支持軸３２と挿通部３７１，３８１との間のクリアランスによって画像読取時に生じる保持部材３１の傾斜を考慮して、当該支持軸３２に対して保持部材３１が予め傾斜する角度を精度よく調整することができるので、画像読取時に保持部材３１を確実に所望の姿勢にすることができる。
【００５２】
また、複数の挿通部３７１，３８１間の主走査方向における相対位置を調整することにより、各挿通部３７１，３８１に形成されている支持軸３２を挿通するための貫通孔３７２，３８２の各軸線をずらして、支持軸３２と挿通部３７１，３８１との間のクリアランスを小さくし、クリアランスに基づくがたつきを抑制することができる。したがって、画像読取時に保持部材３１をより確実に所望の姿勢にすることができる。
【００５３】
特に、本実施形態では、上記交差方向Ａに沿って調整部３８を変位させることにより、当該調整部３８に連結されている挿通部３８１と他の挿通部３７１との間の主走査方向における相対位置を容易に調整することができる。
【００５４】
また、複数の挿通部３７１，３８１間の主走査方向における相対位置を調整部３８で調整した後、当該調整部３８をねじ３９，４０で固定することにより、保持部材３１のがたつきを抑制することができる。したがって、保持部材３１が移動開始時に大きく揺動するなどして破損するのを防止することができる。
【００５５】
さらに、本実施形態では、調整部３８の変位方向（上記交差方向Ａ）に所定の間隔で形成されている目盛り３８６を基準にして当該調整部３８の位置を調整することにより、複数の挿通部３７１，３８１間の主走査方向における相対位置を容易に調整することができる。この例では、目盛り３８６と、調整部３８の長孔３８４を介して視認可能な突出部３７５の端面とを見比べることにより、調整部３８の位置を容易に調整することができる。
【符号の説明】
【００５６】
１    画像形成装置
２    原稿搬送装置
３    画像読取装置
３１    保持部材
３２    支持軸
３３    ガイドレール
３４    駆動ベルト
３５    プーリ
３６    モータ
３７    本体
３８    調整部
３７１    挿通部
３７２    貫通孔
３７３    調整部取付部
３７４    支持板
３７５    突出部
３７６    ねじ孔
３７７    ねじ孔
３７８    駆動ベルト取付部
３８１    挿通部
３８２    貫通孔
３８３    凹部
３８４    長孔
３８５    長孔
【図１】
2010183516.tif 000003
【図２】
2010183516.tif 000004
【図３】
2010183516.tif 000005
【図４】
2010183516.tif 000006
【図５】
2010183516.tif 000007
【図６】
2010183516.tif 000008
【図７】
2010183516.tif 000009
【図８】
2010183516.tif 000010